(57)【要約】【課題】角度多重ホログラム記録における多重数を増大させることで、高密度化および大容量化を促進し得る角度多重ホログラム記録方法および装置を提供する。【解決手段】まず、ＳＬＭ１０の表示画面上に同時に表示可能なページデータ領域をＮ分割（Ｎは２以上の整数）する（Ｓ１）。次に、分割されたページデータ領域Ｉ（Ｉ＝１、２…、Ｎ）毎に、当該領域Ｉに対応する所定の角度スケジュールを決定する（Ｓ２）。次に、実際の記録の際に、ページデータ領域Ｉを順次アクティブ領域とし、アクティブ領域が移動するたびに、参照光と記録媒体との相対角度を変化させながら角度多重記録する（Ｓ３）。【選択図】図４
2011164493.tif 000002
【特許請求の範囲】
【請求項１】
空間光変調手段の表示領域に表示されたデータ情報を担持した信号光と、参照光とを干渉させてホログラム記録媒体の同一領域に、角度多重により、該干渉光による干渉縞情報を多重記録する角度多重ホログラム記録方法において、
前記空間光変調手段の表示領域を複数個に分割し、該分割されてなる分割領域毎に、前記参照光と前記記録媒体との相対角度の変化に基づく角度スケジュールを設定し、該角度スケジュールに基づいて分割領域毎に角度多重記録を行なうことを特徴とする角度多重ホログラム記録方法。
【請求項２】
前記分割領域毎に、前記信号光のうち、前記参照光に対する角度が、最大ではない角度θＡとなる素平面波を選択し、この素平面波と参照光との角度を前記相対角度とすることを特徴とする請求項１記載の角度多重ホログラム記録方法。
【請求項３】
前記空間光変調手段の表示領域が１つの空間光変調手段により構成され、前記分割領域が、該１つの空間光変調手段の表示領域のうちの部分領域とされていることを特徴とする請求項１または２記載の角度多重ホログラム記録方法。
【請求項４】
前記空間光変調手段の表示領域が複数個の空間光変調手段により構成され、前記分割領域のそれぞれが、１つの空間光変調手段の全表示領域とされていることを特徴とする請求項１または２記載の角度多重ホログラム記録方法。
【請求項５】
前記各分割領域である、分割したページデータ領域について、表示駆動する領域を順次移動させる度に、前記参照光と前記記録媒体との相対角度を角度スケジュールに基づき変化させることで、角度多重記録を行なうことを特徴とする請求項１〜４のうちいずれか１項記載の角度多重ホログラム記録方法。
【請求項６】
前記参照光と前記記録媒体との相対角度を、正または負の一方向に変化させ、その変化の途中の所定の角度に到達する毎に、当該角度で表示駆動すべき、前記各分割領域である、分割したページデータ領域について表示駆動操作を行うことで角度多重記録を行うことを特徴とする請求項１〜４のうちいずれか１項記載の角度多重ホログラム記録方法。
【請求項７】
請求項１〜６のうちいずれか１項記載の角度多重ホログラム記録方法に基づく各操作を指示する制御部を備えたことを特徴とする角度多重ホログラム記録装置。
【発明の詳細な説明】
【技術分野】
【０００１】
本発明は、角度多重ホログラム記録方法および装置に関し、詳しくは、離散的なデジタルデータ（例えば大容量の保存用アーカイブデータ）のホログラフィックメモリへの角度多重記録を行う際における、記録角度間隔（角度スケジュール）を制御する方法および装置に関するものである。
【背景技術】
【０００２】
近年、大容量かつ高速な記録システムとしてホログラフィックメモリが注目されている。ホログラフィックメモリは、同一レーザ光源から発せられた参照光および信号光と称される２つの光を干渉させ、生じた干渉縞を記録媒体に屈折率変化として記録、保持する。通常、信号光はページデータと称される、ＳＬＭ（空間光変調器：以下同じ）等に表示した２次元画像情報により空間的に変調されたものである。参照光の条件（例えば記録媒体への入射角度、波長、または波面等）を変化させながら、記録媒体の同一領域に複数のページデータを多重して記録することができるため大容量化が可能である。このうち、入射角度を変えながら多重記録するものは角度多重方式と称されている。
【０００３】
角度多重方式においては、参照光をガルバノミラーによって角度変更したり、参照光と信号光により形成される平面内で記録媒体を回転させたりして、参照光の媒体への入射角度を少しずつ変えながら複数のページデータをホログラムの形態で多重記録する。
【０００４】
ところで、隣接するホログラム同士の間隔を狭くすると多くのページデータを記録することができる一方、隣接ホログラムとの間でクロストークが生じ易くなるため、最適な角度間隔を特定してホログラムを多重記録することが必要となる。
【０００５】
このため、上記最適な角度間隔を決定するための従来技術においては、例えば下記特許文献１に記載されているように、最適な角度間隔Δθをあらかじめ配列の情報として記憶しておき、この配列の情報に基づいて角度多重記録を行なうようにしている。この手法により、参照光の入射角度における限られた角度範囲、あるいは記録媒体回転における限られた角度範囲において、多くのページデータを記録することが可能となる。
【０００６】
また、下記特許文献２では、最適な角度間隔Δθの決定（角度スケジューリング）の手法が開示されている。これは、参照光と記録媒体との相対角度の変化範囲のうち３点以上を抽出し、それら各点における角度選択性の状況から全てのホログラム順に対する最適な角度間隔Δθを特定するものである。
【先行技術文献】
【特許文献】
【０００７】
【特許文献１】特開２００６−１５４１６３号
【特許文献２】特開２００９−２６５５３４号
【発明の概要】
【発明が解決しようとする課題】
【０００８】
しかしながら、上記特許文献１および上記特許文献２に記載のものに対し、さらに多重数を増大することで、高密度化および大容量化を促進することが急務である。
このため、ホログラム配列番号に対する最適な角度間隔Δθ（角度スケジュール）を、より効率的かつ効果的に設定する手法が強く求められている。
【０００９】
本発明は、上記事情に鑑みなされたものであり、角度多重ホログラム記録における多重数を増大させることで、高密度化および大容量化を促進し得る角度多重ホログラム記録方法および装置を提供することを目的とするものである。
【課題を解決するための手段】
【００１０】
本発明の角度多重ホログラム記録方法は、空間光変調手段の表示領域に表示されたデータ情報を担持した信号光と、参照光とを干渉させてホログラム記録媒体の同一領域に、角度多重により、該干渉光による干渉縞情報を多重記録する角度多重ホログラム記録方法において、
前記空間光変調手段の表示領域を複数個に分割し、該分割されてなる分割領域毎に、前記参照光と前記記録媒体との相対角度の変化に基づく角度スケジュールを決定し、該角度スケジュールに基づいて分割領域毎に角度多重記録を行なうことを特徴とするものである。
【００１１】
また、前記分割領域毎に、前記信号光のうち、前記参照光に対する角度が、最大ではない角度θＡとなる素平面波を選択し、この素平面波と参照光との角度を前記相対角度とすることが可能である。なお、上記「最大ではない角度θＡとなる素平面波」とは、後述する例で言えば、素平面波ａは排除され、素平面波ｂや素平面波ｃ等の他の素平面波を意味する。
【００１２】
また、前記空間光変調手段の表示領域が１つの空間光変調手段により構成され、前記分割領域が、該１つの空間光変調手段の表示領域のうちの部分領域とされていることが可能である。
【００１３】
また、前記空間光変調手段の表示領域が複数個の空間光変調手段により構成され、前記分割領域のそれぞれが、１つの空間光変調手段の全表示領域とすることが可能である。
【００１４】
また、前記各分割領域である、分割したページデータ領域について、表示駆動する領域を順次移動させる度に、前記参照光と前記記録媒体との相対角度を角度スケジュールに基づき変化させることで、角度多重記録を行なうことが可能である。
【００１５】
また、前記参照光と前記記録媒体との相対角度を、正または負の一方向に変化させ、その変化の途中の所定の角度に到達する毎に、当該角度で表示駆動すべき前記各分割領域について、順次表示駆動操作を行うことで角度多重記録を行うことが可能である。
【００１６】
本発明の角度多重ホログラム記録装置は、上記いずれかの角度多重ホログラム記録方法に基づく各操作を指示する制御部を備えたことを特徴とするものである。
【発明の効果】
【００１７】
本発明の角度多重ホログラム記録方法および装置においては、空間光変調手段の表示領域を複数個に分割し、該分割されてなる分割領域毎に、前記参照光と前記記録媒体との相対角度の変化に基づく角度スケジュールを決定し、該角度スケジュールに基づいて分割領域毎に角度多重記録を行なうようにしているので、従来技術と比べて、角度多重ホログラム記録における多重数を増大させることができ、高密度化および大容量化を促進することができる。
【００１８】
すなわち、従来技術においては、クロストークを避ける目的で、信号光と参照光との相対角度が最も大きくなる角度を選んで、角度多重記録の角度間隔を設定しているが、本発明においては、信号光と参照光との相対角度が互いに変化する分割領域毎に角度スケジュールを決定するようにしているので、効率的に多重させることができ、高密度化および大容量化を促進することができる。
【図面の簡単な説明】
【００１９】
【図１】本発明に係る角度多重ホログラム記録方法における、参照光と信号光の入射角度の関係を示す概略図である。
【図２】本発明の実施形態に係る角度多重ホログラム記録装置における参照光と信号光（素平面波）の入射角度の角度選択性の差異を示す概略図である。
【図３】本発明の数値シミュレーションにおいて選択した信号光（素平面波）の各角度における、参照光角度と回折強度との関係を示すグラフである。
【図４】本発明の実施例１に係る各分割ページデータ領域についての、角度多重記録を行なう手順を示すフローチャートである。
【図５】本発明の実施例１に係る分割ページデータ領域の一例を示す図である。
【図６】本発明の実施例１に係る分割ページデータ領域における、記録がなされるアクティブ領域とそれ以外の領域とを並列して表した図（（ａ）、（ｂ））である。
【図７】本発明の実施例２における各分割ページデータ領域についての、角度多重記録を行なう手順を示すフローチャートである。
【図８】本発明の実施例２に係る分割ページデータ領域における、角度間隔とアクティブ領域との関係を表すテーブルである。
【図９】本発明の実施例２に係る分割ページデータ領域が２つ設けられた場合における、角度間隔とアクティブ領域との関係を表すテーブルである。
【図１０】複数のＳＬＭを用いた場合の本発明の実施形態の変形例を示す概略図である。
【図１１】各ページデータ領域Ｉに対する多重記録（再生）操作の流れを示すフローチャートである。
【図１２】本発明の実施形態方法を実施するための角度多重ホログラム記録装置を示す概略図である。
【発明を実施するための形態】
【００２０】
以下、本発明の実施形態を図面を参照しつつ説明する。
まず、本発明に係る角度多重ホログラム記録方法の基礎となる理論について説明する。
【００２１】
ホログラム記録装置における、空間光変調器ＳＬＭからの信号光は、例えば図１のごとく、レンズ１１を通過することにより発散あるいは収束する（図１では記録領域２１に収束する）ビームである。言い換えれば、信号光は記録媒体１３に対して様々な進入角度を有する平面波（素平面波）の集まりであるとみることができる。
【００２２】
角度選択性はそれら素平面波と参照光とがなす角度に依存することが、Ｋｏｇｅｌｎｉｋによる結合波理論により明らかとされている。各素平面波と参照光との相対角度が小さくなるほど角度選択性は鈍くなり、該相対角度が大きくなるほど角度選択性は鋭くなる。
【００２３】
すなわち、図２に示すように、ＳＬＭ上の画素から出た素平面波ａ，ｂ，ｃのうち、素平面波ｃは、参照光ｒとの相対角度が小さいことから角度選択性が鈍くなるのに対し、素平面波ａは、参照光ｒとの相対角度が大きいことから角度選択性が鋭くなる。
【００２４】
このことを、上記結合波理論による数値シミュレーションを用いて検証する。
ＳＬＭ上の一点の画素から出た素平面波に注目した場合、その素平面波により記録されたホログラムの回折効率は次式(1)で表される。
【００２５】
【数１】
2011164493.tif 000003
【００２６】
ここで、νはホログラムの強さを示すパラメータである。
また、ξは次式(2)で与えられる。
【００２７】
【数２】
2011164493.tif 000004
【００２８】
ここで、Δθは参照光角度変化量、ｔは記録媒体の厚さ、φはホログラムの逆格子ベクトルの角度、θ０は参照光角度である。なお、逆格子ベクトルの大きさＫは２π／Λであり、Λは、下式（３）で表される。
【００２９】
【数３】
2011164493.tif 000005
【００３０】
ただし、θｓは素平面波の参照光に対する角度、λはレーザ光波長、ｎは記録媒体の屈折率である。なお、角度は全て記録媒体内部での角度とする。
【００３１】
数値シミュレーションにおいて各パラメータは、ｔ＝０．１ｍｍ、λ＝５３２ｎｍ、ｎ＝１．５、記録媒体内部における参照光ｒの入射角度を４０度、素平面波ａ、ｂ、ｃの入射角度をそれぞれ−２５度、０度、＋２５度とした。
【００３２】
このパラメータを用い、各素平面波ａ、ｂ、ｃの角度選択性をシミュレーションした結果を図３に示す。なお、縦軸に係る回折強度は上記（１）式を演算することにより得られた値を規格化して得た。また、角度選択性の鋭さについては、ＦＷＨＭ（半値全幅）や第１ヌル点の中心角度との間隔から判断可能である。
【００３３】
第１ヌル点を用いた場合、素平面波ａ、ｂ、ｃはそれぞれ、０．２度、０．３２度、０．７２度となる。このことから、１つのページデータ内のデータであってもＳＬＭ上の画素毎に角度選択性が異なることが明らかである。
【００３４】
これにより、上記素平面波ａがより狭い角度間隔を用いることで高多重数を期待できるにもかかわらず、従来技術においては、クロストークを避ける目的で、最も広い角度間隔である、例えば、上記０．７２度をページ間角度として選択せざるを得なかった。
【００３５】
なお、角度多重方式により、記録媒体の同一領域上にホログラムを多重記録する際には、記録媒体１３が、信号光と参照光を含む平面内で回転するように操作される。
【００３６】
なお、上記記録媒体としては、例えば、厚さ１mm程度のフォトポリマを用いる。また、角度多重記録は、参照光の記録媒体への入射角を少しずつ変えながら行なわれるが、このとき、記録媒体の同一領域に対する角度多重記録数Ｋは、例えば３００である。
【００３７】
以下、上述した具体的な理論に基づく実施例について、図面を用いて説明する。
【００３８】
＜実施例１＞
図４を用いて実施例１に係る角度多重ホログラム記録方法の流れを説明する。すなわち、実施例１の流れは、図４に示すように、ステップ１、２、３により構成されるものであり、分割した各ページデータ領域（以下、単に分割領域とも称する）について、アクティブとする領域を順次移動させる度に、参照光と記録媒体との相対角度を各分割領域の角度スケジュールに基づき変化させることで、多重記録を行なうものである。
【００３９】
＜ステップ１＞
まず、ステップ１（Ｓ１）においては、ＳＬＭ１０の表示画面上に同時に表示可能なページデータ領域をＮ分割（Ｎは２以上の整数）する。
【００４０】
＜ステップ２＞
次に、ステップ２（Ｓ２）においては、分割されたページデータ領域Ｉ（領域番号Ｉ＝１、２、・・・、Ｎ）毎に、当該領域Ｉに対応する所定の角度スケジュールを決定する。
すなわち、各ページデータ領域Ｉに対し、参照光との相対角度が最も小さな素平面波について、上式(1)〜(3)を用いて角度選択曲線の第１ヌル点またはＦＷＨＭを算出する。次に、この算出結果に基づき、各「ページデータ領域Ｉ」に対して、従来の周知の方法等にて角度スケジュールを決定する。
【００４１】
＜ステップ３＞
次に、ステップ３（Ｓ３）においては、実際の記録再生の際に、ページデータ領域１をアクティブ領域とし、該ページデータ領域１に対して、参照光と記録媒体との相対角度を変化させながら角度多重記録し、次に、ページデータ領域２をアクティブ領域とし、ページデータ領域２に対して、参照光と記録媒体との相対角度を変化させながら角度多重記録し、この後、他のページデータ領域を順次アクティブ領域としつつ同様に角度多重記録する操作を繰り返す。
【００４２】
上記ステップ２の角度スケジュールを決定する際に、各「ページデータ領域Ｉ」に対してなされる、従来の周知の方法等、とは、例えば、上記特許文献１や上記特許文献２に記載されている如き手法である。以下、従来の周知の方法の一例を図１１を用いて説明する。
【００４３】
すなわち、この周知の方法は、まず、角度多重によりホログラム記録される多重総数をＫとするならば、Ｋ未満の複数個（３個以上が好ましい）、なる条件を満たすｍ個のホログラム記録を代表として特定し（Ｓ１１）、そのｍ個のホログラム記録（Ｐ１〜Ｐｍ）について、設定角度の順に配列したときに、隣接するホログラム記録同士の角度間隔を各々特定する（代表点の特定）（Ｓ１２）。
【００４４】
次に、設定角度順に配されたホログラム記録の配列番号をＸ軸上に、当該ホログラム記録と、隣接するホログラム記録との角度間隔をＹ軸上に、各々規定したＸ−Ｙ座標系上に、前記各点Ｐ１〜Ｐｍをプロットし、これら各点Ｐ１〜Ｐｍを通る近似関数曲線を規定する（近似関数曲線の規定）(Ｓ１３)。
【００４５】
この後、規定された上記近似関数曲線を利用して、上記Ｋ個のホログラム記録のうちの所望するホログラム記録における、隣接ホログラムとの角度間隔を求める（角度間隔の特定）(Ｓ１４)。これにより、所望するホログラム記録における角度スケジュールを決定する。
【００４６】
次に、この実施例１の方法において、説明の便宜のため、Ｎを具体的に２とした場合について、図を用いながら説明する。
【００４７】
図５に示す如く、ページデータを領域１（ａ−ｂ）および領域２（ｂ−ｃ）の２つの領域に分ける。
【００４８】
次に、領域１および領域２の中で、参照光との相対角度が最小となる素平面波は、それぞれｂおよびｃである（図５のＸ軸は矢視方向を正とする）から、素平面波ｂと素平面波ｃに対する第１ヌル点を、上式(1)〜(3)を用いて代表であるｍ個のホログラム記録（Ｐ１〜Ｐｍ）について求めた後、上記周知の方法により、各領域１、２について各々角度スケジュールを決定する。
【００４９】
なお、記録時には、まず領域１をアクティブ領域とし、図６（ａ）のごとく領域１のみにデータを表示し、角度多重記録を実行する。
次に領域２をアクティブ領域とし、図６（ｂ）のごとく領域２のみにデータを表示し、角度多重記録を実行する。
【００５０】
なお、再生時における読み出し順序は、記録時における記録順序と同じ順序とすればよい。
【００５１】
＜実施例２＞
次に、図７を用いて実施例２に係る角度多重ホログラム記録方法の流れを説明する。すなわち、実施例２の流れは、図７に示すように、ステップ１、２、３´により構成されるものであり、参照光と記録媒体との相対角度を順次変化させる度に、分割領域のうち、当該角度でアクティブとすべき領域をアクティブとすることで、多重記録を行なうものである。
【００５２】
実施例２が実施例１と相違する部分は、ステップ３がステップ３´となっている点であるから、実施例１と同様のステップ１、２の説明は省略し、ステップ３´のみについて説明する。
【００５３】
＜ステップ３’＞
実際の記録再生にあたっては、参照光と記録媒体の各相対角度を、正または負の一方向に変化させ、その変化の度に、分割領域のうちアクティブとすべき領域を順次アクティブとしていくことで角度多重記録を行うようにしている。この場合、上記相対角度θに対しアクティブとすべき領域を予め定めてテーブル化しておき、これをメモリに保持しておくとよい。
【００５４】
図８は、このステップ３’の手順のテーブルを示すものである。
すなわち、θ１からθMまでの、参照光に対する記録媒体の各相対角度に対応して、アクティブとすべき領域1〜Ｎを○印で示したものである。
【００５５】
この図８からも明らかなように、ステップ３’は上記実施例１のステップ３に比べて、参照光と記録媒体との相対角度の角度変化サイクルを１回で終了することができるので、転送速度の低下を生じない点で有利である。
【００５６】
なお、このテーブルでは、領域１から領域Ｎに向かうにしたがって角度間隔が広くなるように設定されているが、これは領域Ｉごとに素平面波の角度選択性が異なることに対応させたものであり、ステップ２で求めた角度スケジュールの算出結果にも基づくものである。
【００５７】
さらに、θ1、θ5などに注目すると、複数の領域Ｉがアクティブとなっている。これは、複数のアクティブな領域Ｉを同時にＳＬＭ上に表示することで、同時に記録を行うことが示されるものである。
【００５８】
なお、この実施例２においても、再生時における読み出し操作は、記録時における記録操作と同じ順序とすればよい。
【００５９】
以下、図１２を用いてホログラム記録再生操作の一般的な流れについて説明する。
【００６０】
図１２は、本実施形態に係るホログラム記録方法を実施するための装置の概略を示すものである。
【００６１】
まず、ＤＰＳＳ（Diode Pumping Solid State：ダイオード励起固体）レーザ光源１から出射された波長532nmのレーザビームは、シャッタ２を開くことでミラーM1を介して光学系に導かれ、スペイシャルフィルタ３にて空間的なノイズが除去されるとともにビーム径が拡大される。
【００６２】
信号記録時において、スペイシャルフィルタ３からのビームは半波長板HWP1により所望の偏光比に調整され、この後、偏光ビームスプリッタPBS1により分離された偏光のうち、縦偏光成分は参照光として、横偏光成分は信号光として各々利用される。
【００６３】
信号光は、レンズL1とレンズL2によりページデータの大きさ程度までビーム径が拡大された後、偏光ビームスプリッタPBS2を透過して空間光変調器SLMに照射される。このとき、空間光変調器SLMにはページデータが表示されており、これによりビームが空間的に変調される。そして、縦偏光成分のみが偏光ビームスプリッタPBS2によってフーリエ変換レンズFTL1方向へ反射される。FTL1を通過後、光学的フーリエ変換面には開口マスク７が配置されており、０次の回折光のみが開口を通過してホログラム記録媒体８（以下、単に記録媒体８とも称する）上に照射される。
【００６４】
一方、参照光は、縦偏光状態のまま半波長板HWP2を通過し、偏光ビームスプリッタPBS3において直角に反射され、ミラーM2、ミラーM3を介して記録媒体８上に照射される。
【００６５】
参照光と信号光が交差した部分で光の干渉縞、すなわち光の明暗が生じ、この位置に記録媒体８が配されているので、該記録媒体８の記録面において、光の強い場所は重合反応が進み、その一方、弱い場所は重合反応があまり進まず、結果として記録媒体８の記録面に屈折率分布が形成され、一つのホログラムの記録操作が完了する。
【００６６】
また、信号再生時においては、スペイシャルフィルタ３からのビームが半波長板HWP1により完全に縦偏光とされ、偏光ビームスプリッタPBS1により直角に反射される。この後、半波長板HWP2により完全に横偏光にされることで、偏光ビームスプリッタPBS3を透過し、ミラーM4、ミラーM5を介して記録媒体８へ照射される。これは、位相共役再生と称される周知の再生手法であり、この場合には再生光は記録媒体８からフーリエ変換レンズFTL1側へ出射され、フーリエ変換レンズFLT1を通過する。再生光は横偏光であるから、この後偏光ビームスプリッタPBS2を透過して撮像素子（CCD）１０上に結像される。
【００６７】
この撮像素子（CCD）１０で得られた再生ページデータ像に対して、所定の信号処理を施すことで元データを復元することができる。
【００６８】
また、記録媒体８は、図示されない回転ステージ上に取り付けられ、図２中のθ方向へ所定の角度だけ回転させることができる。本実施形態では角度θの可動範囲は−３．５度〜＋２７．５度とされており、角度θを−３．５度付近から少しずつ増加させ（あるいは、角度θを＋２７．５付近から少しずつ減少させ）、上記実施例１または上記実施例２等の手法を用いて角度多重記録を行なうように操作される。
【００６９】
また、記録したときと同じ設定角度を再現して参照光を照射すると、記録された一つのホログラムだけを分離して再生することが可能である。
【００７０】
この場合における回転ステージの回転角度制御は、回転角度制御部３１からの指示信号に基づいて回転駆動部（回転モータなど）３２を回転駆動することにより行なわれる。すなわち、回転角度制御部３１には図４または図７に示されるような処理を実行するためのプログラムを格納するメモリが配され、図示されないＣＰＵによりこのプログラムが実行され、回転角度θの駆動操作が制御される。
【００７１】
以上、本発明の実施形態について説明したが、本発明の角度多重ホログラム記録方法としては、それ以外の態様のものに変更することも可能である。例えば、上記実施例２におけるステップ３’は、以下のような手法を用いれば、より簡便なものとすることが可能である。
【００７２】
すなわち、例えばＮ＝２の場合において、図９に示す如く、領域１について対応付けられる、参照光と記録媒体の相対角度のうち１つおきに領域２についても対応付けるものである。これは、上述したシミュレーション結果からも明らかなように、素平面波ｂ、ｃの角度選択性の差が大きく、例えば２倍以上となる場合に有効な手法である。
【００７３】
また、角度θ1、θ3、θ5・・・の場合には領域１、２ともアクティブとされるため、ＳＬＭ上には図５に示す如く領域全体にデータが表示される。一方、角度θ2、θ4、・・・の場合には領域１のみがアクティブであるため、ＳＬＭ上には、図６（ａ）に示す如く領域１のみにデータが表示される。
【００７４】
また、上記実施例においては、１つのＳＬＭの表示領域を領域分割してＮ個の分割領域を形成しているが、Ｎ個のＳＬＭを所定配置し、各ＳＬＭの全領域を該各分割領域とすることも可能である。なお、図１０は、２つのＳＬＭ（ＳＬＭ１、ＳＬＭ２）の各々を分割領域とした態様を示すものである。
【００７５】
また、本実施例で用いたレーザ光波長、記録媒体厚さ、角度範囲は一例を示すものであり、適宜変更が可能である。
【００７６】
また、上記空間光変調器としては、透過型の液晶表示板や反射型の液晶表示板を使用することが可能であり、さらに、多数の微小反射ミラーを駆動制御するＤＭＤ（デジタル・マイクロミラー・デバイス）を用いることも可能である。
【００７７】
以上説明したように、本発明の実施形態に係る方法および装置によれば、従来技術に比べてさらに多重数を増大することができ、また高密度化および大容量化を促進することができることが明らかである。
【００７８】
その効果は、参照光に対する、素平面波の最大入射角度が大きくなる程、大きくなることから、レンズ焦点距離を短くした場合、および高ＮＡ（開口数）のレンズを用いた場合に、上記効果をより大きくすることができる。
【００７９】
なお、上述した、図３のグラフを得るために用いたシミュレーション数値を採用し、かつＮ＝２とした場合、本発明を用いない従来技術に比べ、約１．５倍の高密度化が可能となった。
【符号の説明】
【００８０】
ＳＬＭ，ＳＬＭ１，ＳＬＭ２    空間光変調器
ＦＴＬ１    フーリエ変換レンズ
ＰＢＳ１，ＰＢＳ２，ＰＢＳ３    偏光ビームスプリッタ
ＨＷＰ１，ＨＷＰ２    半波長板
Ｍ１，Ｍ２，Ｍ３，Ｍ４，Ｍ５    ミラー
Ｌ１，Ｌ２    レンズ
１    レーザ光源
２    シャッタ
３    スペイシャルフィルタ
７    開口マスク
８、１３    ホログラム記録媒体
１０      撮像素子
１１      レンズ
２１      記録領域
３１      回転角度制御部
３２      回転駆動部
【図１】
2011164493.tif 000006
【図２】
2011164493.tif 000007
【図３】
2011164493.tif 000008
【図４】
2011164493.tif 000009
【図５】
2011164493.tif 000010
【図６】
2011164493.tif 000011
【図７】
2011164493.tif 000012
【図８】
2011164493.tif 000013
【図９】
2011164493.tif 000014
【図１０】
2011164493.tif 000015
【図１１】
2011164493.tif 000016
【図１２】
2011164493.tif 000017